【手続補正書】
【提出日】平成25年12月11日(2013.12.11)
【手続補正１】
【補正対象書類名】明細書
【補正対象項目名】００６６
【補正方法】変更
【補正の内容】
【００６６】
（実施例１）
所望のライナー溝及びプリズム要素（図３と同様の断面を有する）の負の形状を有するマスターツールが、ダイヤモンド切削プロセスを使用して得られた。紫外線硬化性樹脂組成物は、Ｃｏｇｎｉｓ（Ｍｏｎｈｅｉｍ，Ｇｅｒｍａｎｙ）から商標表記「ＰＨＯＴＯＭＥＲ ６０１０」で市販される、７４重量部の脂肪族ウレタンアクリレートオリゴマー、Ｓａｒｔｏｍｅｒ（Ｅｘｔｏｎ，ＰＡ）から商標表記「ＳＡＲＴＯＭＥＲ ＳＲ ２３８」で市販される、２５重量部の１，６−ヘキサンジオールジアクリレート及びＣｉｂａ（Ｂａｓｅｌ，Ｓｗｉｔｚｅｒｌａｎｄ）から商標表記「ＤＡＲＯＣＵＲ １１７３」で市販されるαヒドロキシケトンＵＶ光開始剤（２−ヒドロキシ−２−メチル−１−フェニル−１−プロパノン）をブレンドすることによって調製された。ＤｕＰｏｎｔ Ｔｅｉｊｉｎ Ｆｉｌｍｓ（Ｈｏｐｅｗｅｌｌ，ＶＡ）から、商標表記「ＭＥＬＩＮＥＸ ４５３」で市販される、７６マイクロメートル（３ミル）厚さのＰＥＴ（ポリエチレンテレフタレート）フィルムが、紫外線硬化性樹脂で、およそ８５マイクロメートルの厚さまでコーティングされた。コーティングされたフィルムは、溝に空気が全く入らないように、マスターツールと物理的に接触させた。マスターツールと物理的に接触している間に樹脂が、Ｆｕｓｉｏｎ ＵＶ ｓｙｓｔｅｍｓ（Ｇａｉｔｈｅｒｓｂｕｒｇ，ＭＤ）から入手可能なマイクロ波によって駆動される紫外線硬化システムにより硬化された。ウェブ上の硬化した樹脂が、マスターツールから取り除かれて、微細構造化フィルムを生じた。３Ｍ Ｃｏｍｐａｎｙ（Ｓｔ．Ｐａｕｌ，ＭＮ）から、商標表記「３Ｍ ＯＰＴＩＣＡＬＬＹ ＣＬＥＡＲ ＡＤＨＥＳＩＶＥ ８１７１」で市販される２５マイクロメートル（１ミル）厚さの光学的に透明な接着剤転写テープの１つのライナーが取り除かれ、露出した接着剤表面が、微細構造化フィルムの非構造化面に、Ｐｒｏｔｅｃｈ Ｅｎｇｉｎｅｅｒｉｎｇ（Ｗｉｌｍｉｎｇｔｏｎ，Ｄｅｌａｗａｒｅ）から入手可能なロールツーロール成層機で積層された。米国特許出願公開第２００６／０１５４０４９号の５〜６ページに開示される多層フィルム物品は、微細構造化フィルムの構造化面に積層されて、最終的な光方向転換フィルム積層体を生成する。
本出願では、以下の態様が提供される。
１．  第１主表面及び前記第１主表面の反対側の第２主表面を有する第１光学フィルムであって、前記第１主表面は非対称構造を含む微細構造化表面を含む、第１光学フィルムと、第１主表面及び前記第１主表面と反対側の第２主表面を有し、前記第２主表面が前記第１光学フィルムの第１主要構造化表面の前記構造の実質的に全部と隣接するように配置されてこれらと接触し結合される、第２光学フィルムとを含む、光管理フィルム構成体であって、前記第１光学フィルムの前記第１主表面及び前記第２光学フィルムの前記第２主表面は、前記第１主表面の前記構造が一部を占める密閉容積を画定し、前記構造は画定される合計容積の２０〜８０％を占める、光管理フィルム構成体。
２．  前記非対称構造は、複数の多面屈折性プリズムの順序付けられた配列を含み、前記多面屈折性プリズムのそれぞれの断面は、３つ以上の辺を含む、態様１に記載の光管理フィルム構成体。
３．  前記多面屈折性プリズムのそれぞれの少なくとも１つの面は、湾曲した表面である、態様２に記載の光管理フィルム構成体。
４．  前記多面屈折性プリズムのそれぞれは、４つの面（面Ａ、Ｂ、Ｃ及びＤ）を含み、前記多面屈折性プリズムの面Ａは前記第１光学フィルムの前記第１主表面と平行であり、かつこれに隣接し、前記多面屈折性プリズムの面Ｂは面Ａに接合され、面Ａの垂線と水平な方向の上１５〜８０°の角度における前記第１光学フィルムの前記第２主表面上への入射光線の全内部反射を生成するように設計され、前記多面屈折性プリズムの面Ｃは面Ａに接合され、前記多面屈折性プリズムの面Ｄが面Ｃ及び面Ｂに接続され、かつ面Ｂから反射される光線を、面Ｂから離れる方向に、前記面Ｃ及び／又はＤに向けて実質的に方向転換するように設計される、態様２に記載の光管理フィルム構成体。
５．  面Ｂは、面Ａと、交点において９０°未満の角度を形成する、態様４に記載の光管理フィルム構成体。
６．  面Ｃは、面Ａと、交点において９０°以下の角度を形成する、態様４に記載の光管理フィルム構成体。
７．  面Ｄが、少なくともその１つが湾曲している一連の面を含むか、又は面Ｃ及びＤが一緒に単一の湾曲した表面を形成する、態様４に記載の光管理フィルム構成体。
８．  面Ｃ若しくはＤ又は、面Ｃ及びＤが共に、一連の面を含み、前記一連の面は構造化表面を含み、前記構造化表面の構造の各寸法が、面Ａよりも小さい、態様４に記載の光管理フィルム構成体。
９．  面Ｄが、面Ｂに接合されて点を形成する面Ｄ１を含む、態様７に記載の光管理フィルム構成体。
１０．  面Ｄは、前記第２光学フィルムの前記第２主表面のための結合表面を提供する面Ｄ２を含む、態様７に記載の光管理フィルム構成体。
１１．  前記非対称構造は１超のアスペクト比を有する、態様１に記載の光管理フィルム構成体。
１２．  前記非対称構造が、前記第１光学フィルムの前記第１主表面から５０マイクロメートル〜２５０マイクロメートル突出する、態様１に記載の光管理フィルム構成体。
１３．  前記非対称構造が熱可塑性又は熱硬化性材料を含む、態様１に記載の光管理フィルム構成体。
１４．  前記第２光学フィルムの前記第２主表面が、前記第２光学フィルムの前記第２主表面上に存在する接着剤層によって、前記第１光学フィルムの前記微細構造化表面に結合される、態様１に記載の光管理フィルム構成体。
１５．  前記第１光学フィルムの第２主表面がコーティングを含む、態様１に記載の光管理フィルム構成体。
１６．  前記コーティングが接着剤コーティングを含む、態様１４に記載の光管理フィルム構成体。
１７．  前記接着剤コーティングに取り付けられた剥離ライナーを更に含む、態様１５に記載の光管理フィルム構成体。
１８．  前記第２光学フィルムの前記第１主表面が、ハードコート、傷防止コーティング、低表面エネルギーコーティング又は簡単清掃コーティングの群から選択されるコーティングを含む、態様１に記載の光管理フィルム構成体。
１９．  前記コーティングは、赤外光吸収ナノ粒子を含む、ハードコートを含む、態様１８に記載の光管理フィルム構成体。
２０．  前記第１光学フィルム又は前記第２光学フィルムの少なくとも一方が、協調して赤外放射線を反射する交互のポリマー層を含む、多層フィルムを含む、態様１に記載の光管理フィルム構成体。
２１．  前記第１光学フィルム又は前記第２光学フィルムの少なくとも一方が、ＵＶＡ吸収粒子を更に含む、態様１に記載の光管理フィルム構成体。
２２．  前記接着剤コーティングがＵＶＡ吸収粒子を更に含む、態様１６に記載の光管理フィルム構成体。
２３．  前記ポリマー層の少なくとも１つが複屈折性ポリマー層を含む、態様２０に記載の光管理フィルム構成体。
２４．  光管理フィルム構成体を調製するための方法であって、第１主表面及び前記第１主表面と反対側の第２主表面を含む第１光学フィルムを調製する工程であって、前記第１主表面は非対称構造を含む微細構造化表面を含む、工程と、第１主表面及び前記第１主表面と反対側の第２主表面を含む第２光学フィルムを提供する工程と、前記第２光学フィルムの前記第２主表面を第１光学フィルムの前記微細構造化表面と接触させる工程と、前記第２光学フィルムの前記第２主表面を前記第１光学フィルムの前記第１主要構造化表面の前記構造の実質的に全部と結合する工程とを含む、方法。
２５．  前記第２光学フィルムの前記第２主表面が接着剤層を含み、前記結合が接着剤結合を含む、態様２４に記載の方法。
２６．  前記第１光学フィルムの調製が、前記微細構造化第１主表面を形成するための、キャスト及び硬化プロセスを含む、態様２４に記載の方法。
２７．  基材と、前記基材に取り付けられた光管理フィルムとを含む物品であって、前記光管理フィルムは、第１主表面及び前記第１主表面の反対側の第２主表面を有する第１光学フィルムであって、前記第１主表面は非対称構造を含む構造化表面を含む、第１光学フィルムと、第１主表面及び前記第１主表面と反対側の第２主表面を有し、前記第２主表面が前記第１光学フィルムの前記第１主要構造化表面の前記構造の実質的に全部と隣接するように配置されてこれと接触し結合される第２光学フィルムとを含み、前記第１光学フィルムの前記第１主表面及び前記第２光学フィルムの前記第２主表面は、前記第１主表面の前記構造が一部を占める密閉容積を画定し、前記構造は画定される合計容積の２０〜８０％を占める、物品。
２８．  前記基材が透明基材である、態様２７に記載の物品。
２９．  前記光管理フィルム上の前記非対称構造は、複数の多面屈折性プリズムの順序付けられた配列を含み、前記多面屈折性プリズムのそれぞれの断面は、３つ以上の辺を含む、態様２７に記載の物品。
３０．  前記多面屈折性プリズムのそれぞれの断面は、４つの面（面Ａ、Ｂ、Ｃ及びＤ）を含み、前記多面屈折性プリズムの面Ａは前記第１光学フィルムの前記第１主表面と平行であり、かつこれに隣接し、前記多面屈折性プリズムの面Ｂは面Ａに接合され、面Ａの垂線と水平な方向の上１５〜８０°の角度における前記第１光学フィルムの前記第２主表面上への入射光線の全内部反射を生成するように設計され、前記多面屈折性プリズムの面Ｃは面Ａに接合され、前記多面屈折性プリズムの面Ｄが面Ｃ及び面Ｂに接続され、かつ面Ｂから反射される光線を、面Ｂから離れる方向に、前記面Ｃ及び／又はＤに向けて実質的に方向転換するように設計される、態様２９に記載の物品。
３１．  窓を提供する工程と、第１主表面及び前記第１主表面の反対側の第２主表面を有する第１光学フィルムであって、前記第１主表面は非対称構造を含む微細構造化表面を含む、第１光学フィルムと、第１主表面及び前記第１主表面と反対側の第２主表面を有し、前記第２主表面が前記第１光学フィルムの前記第１主要構造化表面の前記構造の実質的に全部と隣接するように配置されてこれと接触し結合される、第２光学フィルムとを含む、光管理フィルム構成体であって、前記第１光学フィルムの前記第１主表面及び前記第２光学フィルムの前記第２主表面は、前記第１主表面の前記構造が一部を占める密閉容積を画定し、前記構造は画定される合計容積の２０〜８０％を占める、光管理フィルム構成体を提供する工程と、前記光管理フィルム構成体を前記窓の前記内部表面又は外部表面に取り付ける工程とを含む、光を方向転換する方法。
３２．  前記光管理フィルム構成体を前記窓に取り付ける工程は、前記光管理フィルムの接着剤層を前記窓に接触させる工程を更に含む、態様３１に記載の方法。
３３．  前記光管理フィルム構成体の前記接着剤層が、前記第１光学フィルムの前記第２主表面上に存在する、態様３２に記載の方法。
【手続補正２】
【補正対象書類名】特許請求の範囲
【補正対象項目名】全文
【補正方法】変更
【補正の内容】
【特許請求の範囲】
【請求項１】
第１主表面及び前記第１主表面の反対側の第２主表面を有する第１光学フィルムであって、前記第１主表面は非対称構造を含む微細構造化表面を含む、第１光学フィルムと、
第１主表面及び前記第１主表面と反対側の第２主表面を有し、前記第２主表面が前記第１光学フィルムの第１主要構造化表面の前記構造の実質的に全部と隣接するように配置されてこれらと接触し結合される、第２光学フィルムと
を含む、光管理フィルム構成体であって、前記第１光学フィルムの前記第１主表面及び前記第２光学フィルムの前記第２主表面は、前記第１主表面の前記構造が一部を占める密閉容積を画定し、前記構造は画定される合計容積の２０〜８０％を占める、光管理フィルム構成体。
【請求項２】
前記非対称構造は、複数の多面屈折性プリズムの順序付けられた配列を含み、前記多面屈折性プリズムのそれぞれの断面は、３つ以上の辺を含む、請求項１に記載の光管理フィルム構成体。
【請求項３】
前記多面屈折性プリズムのそれぞれは、４つの面（面Ａ、Ｂ、Ｃ及びＤ）を含み、前記多面屈折性プリズムの面Ａは前記第１光学フィルムの前記第１主表面と平行であり、かつこれに隣接し、前記多面屈折性プリズムの面Ｂは面Ａに接合され、面Ａの垂線と水平な方向の上１５〜８０°の角度における前記第１光学フィルムの前記第２主表面上への入射光線の全内部反射を生成するように設計され、前記多面屈折性プリズムの面Ｃは面Ａに接合され、前記多面屈折性プリズムの面Ｄが面Ｃ及び面Ｂに接続され、かつ面Ｂから反射される光線を、面Ｂから離れる方向に、前記面Ｃ及び／又はＤに向けて実質的に方向転換するように設計される、請求項２に記載の光管理フィルム構成体。
【請求項４】
基材と、
前記基材に取り付けられた光管理フィルムであって、
第１主表面及び前記第１主表面の反対側の第２主表面を有する第１光学フィルムであって、前記第１主表面は非対称構造を含む構造化表面を含む、第１光学フィルムと、
第１主表面及び前記第１主表面と反対側の第２主表面を有し、前記第２主表面が前記第１光学フィルムの前記第１主要構造化表面の前記構造の実質的に全部と隣接するように配置されてこれと接触し結合される、第２光学フィルムと
を含む、光管理フィルムと
を含む物品であって、前記第１光学フィルムの前記第１主表面及び前記第２光学フィルムの前記第２主表面は、前記第１主表面の前記構造が一部を占める密閉容積を画定し、前記構造は画定される合計容積の２０〜８０％を占める、物品。
【請求項５】
前記多面屈折性プリズムのそれぞれの断面は、４つの面（面Ａ、Ｂ、Ｃ及びＤ）を含み、前記多面屈折性プリズムの面Ａは前記第１光学フィルムの前記第１主表面と平行であり、かつこれに隣接し、前記多面屈折性プリズムの面Ｂは面Ａに接合され、面Ａの垂線と水平な方向の上１５〜８０°の角度における前記第１光学フィルムの前記第２主表面上への入射光線の全内部反射を生成するように設計され、前記多面屈折性プリズムの面Ｃは面Ａに接合され、前記多面屈折性プリズムの面Ｄが面Ｃ及び面Ｂに接続され、かつ面Ｂから反射される光線を、面Ｂから離れる方向に、前記面Ｃ及び／又はＤに向けて実質的に方向転換するように設計される、請求項４に記載の物品。
【請求項６】
窓を提供する工程と、
光管理フィルム構成体を提供する工程であって、前記光管理フィルム構成体が、
第１主表面及び前記第１主表面の反対側の第２主表面を有する第１光学フィルムであって、前記第１主表面は非対称構造を含む微細構造化表面を含む、第１光学フィルムと、
第１主表面及び前記第１主表面と反対側の第２主表面を有し、前記第２主表面が前記第１光学フィルムの前記第１主要構造化表面の前記構造の実質的に全部と隣接するように配置されてこれと接触し結合される、第２光学フィルムと
を含み、前記第１光学フィルムの前記第１主表面及び前記第２光学フィルムの前記第２主表面は、前記第１主表面の前記構造が一部を占める密閉容積を画定し、前記構造は画定される合計容積の２０〜８０％を占める、光管理フィルム構成体を提供する工程と、
前記光管理フィルム構成体を前記窓の前記内部表面又は外部表面に取り付ける工程と
を含む、光を方向転換する方法。